(57)【要約】【課題】記録データ生成に時間を要することなく、記録する画像の種類に応じて、つなぎ部における記録制御を異ならせることによって画像品質の低下を抑制することが可能なインクジェット記録装置および記録制御方法を提供する。【解決手段】インクを吐出するノズルによって構成されたノズル列を有する複数のチップが、互いに重複する部分を有するように配置されている記録ヘッドを用いて、記録媒体へ画像を記録するインクジェット記録装置であって、前記記録媒体に記録する画像の画像データから前記チップが重複する領域に記録される画像がエッジ部を有する画像か否かを判別する手段と、前記判別される画像がエッジ部を有する画像の場合、前記重複する領域を複数に分けて、当該分けた領域ごとに、前記複数のチップのうちのいずれか１つのチップのノズル列を用いて記録を行うべく制御方法を決定する手段と、前記決定された記録制御方法によって記録を制御する手段と、を備える。【選択図】図７
2014097603.tif 000002
【特許請求の範囲】
【請求項１】
インクを吐出するノズルによって構成されたノズル列を有する複数のチップが、互いに重複する部分を有するように配置されている記録ヘッドを用いて、記録媒体へ画像を記録するインクジェット記録装置であって、
前記記録媒体に記録する画像の画像データから前記チップが重複する領域に記録される画像がエッジ部を有する画像か否かを判別する手段と、
前記判別される画像がエッジ部を有する画像の場合、前記重複する領域を複数に分けて、当該分けた領域ごとに、前記複数のチップのうちのいずれか１つのチップのノズル列を用いて記録を行うべく制御方法を決定する手段と、
前記決定された記録制御方法によって記録を制御する手段と、
を備えることを特徴とするインクジェット記録装置。
【請求項２】
前記決定する手段は、前記重複する領域以外の領域を記録する際の制御方法を、前記重複する領域を記録する際の制御方法と異なる制御方法に決定することを特徴とする請求項１に記載のインクジェット記録装置。
【請求項３】
前記重複する領域における前記ノズルの使用／不使用を定めるマスクを格納する手段をさらに備え、
前記決定する手段は、前記重複する領域に記録される画像がエッジ部を有するか否かに応じて前記マスクを選択することによって制御方法を決定し、
前記制御する手段は、前記選択したマスクを用いて記録を制御することを特徴とする請求項１または請求項２に記載のインクジェット記録装置。
【請求項４】
前記マスクは、前記重複する領域において、一方のチップの使用するノズルの数を、そのチップの端に向って徐々に減少させるとともに、他方のチップの使用するノズルの数を、そのチップの端から徐々に増加させる第１マスクと、
前記重複する領域における所定領域まで一方のチップのノズルを使用し、前記所定領域から他方のチップのノズルを使用するように、チップ間のノズルの使用を切り替える第２マスクと、から構成されることを特徴とする請求項３に記載のインクジェット記録装置。
【請求項５】
前記第２マスクにおけるチップ間のノズルの使用を切り替える位置は、適宜設定できることを特徴とする請求項４に記載のインクジェット記録装置。
【請求項６】
前記重複する領域に記録される画像および前記記録ヘッドに関する情報を取得する手段をさらに備え、
前記重複する領域に記録される画像および前記記録ヘッドに関する情報から使用頻度の比較的低いノズルを判定し、当該ノズルの位置にて、前記第２マスクにおけるチップ間のノズルの使用を切り替えることを特徴とする請求項４に記載のインクジェット記録装置。
【請求項７】
前記決定する手段は、前記画像がエッジ部を有する場合は前記第２マスクを用いることを、前記画像がエッジ部を有しない場合は前記第１マスクを用いることを、決定することを特徴とする請求項４から請求項６の何れか１項に記載のインクジェット記録装置。
【請求項８】
前記記録ヘッドをさらに複数備え、当該複数の記録ヘッドは夫々異なるインク色を記録するインクジェット記録装置であって、
前記チップの重複する部分における記録制御は、前記複数の記録ヘッドのうち少なくとも１つの記録ヘッドに対して行われることを特徴とする請求項１から請求項７の何れか１項に記載のインクジェット記録装置。
【請求項９】
インクを吐出するノズルによって構成されたノズル列を有する複数のチップが、互いに重複する部分を有するように配置されている記録ヘッドを用いて、記録媒体へ画像を記録するインクジェット記録装置の記録制御方法であって、
前記記録媒体に記録する画像の画像データから前記チップが重複する領域に記録される画像がエッジ部を有する画像か否かを判別する工程と、
前記判別される画像がエッジ部を有する画像の場合、前記重複する領域を複数に分けて、当該分けた領域ごとに、前記複数のチップのうちのいずれか１つのチップのノズル列を用いて記録を行うべく制御方法を決定する工程と、
前記決定された記録制御方法によって記録を制御する工程と、
を有することを特徴とする記録制御方法。
【発明の詳細な説明】
【技術分野】
【０００１】
本発明はインクジェット記録装置および記録制御方法に関し、特に記録する画像の種類に応じて、記録ヘッドを構成する複数のノズルチップ間の重複部分における記録制御を異ならせるインクジェット記録装置および記録制御方法に関する。
【背景技術】
【０００２】
インクジェット記録装置に用いる記録ヘッドとして、複数のノズルが配列したチップを複数配置させて構成されているものが知られている。これにより、長尺の記録ヘッドを製造する場合よりも製造上の歩留まりを向上させることができる。この構成の場合、１つのチップのノズルが他のチップのノズルと重複する部分（以下「つなぎ部」という）を持つように配置されるのが一般的である。
【０００３】
この場合、記録ヘッドにおけるチップの取り付け位置がずれると、つなぎ部の複数のチップそれぞれのノズルから吐出されるインクの着弾位置の相対的にずれが生じる。また、記録媒体の搬送に誤差が生じた場合にも、この搬送誤差によって同様の、つなぎ部の複数のチップそれぞれのノズルから吐出されるインクの相対的な着弾位置がずれることがある。このような相対的な着弾位置ずれが生じると、つなぎ部において画像品質が低下する。
【０００４】
この画像品質の低下を抑制するために、特許文献１には、つなぎ部において、一方のチップの使用ノズル数をそのチップの終端に向って徐々に減少させるとともに、他方のチップの使用ノズル数をそのチップの終端から徐々に増加させる記録制御が記載されている。具体的には、つなぎ部の記録データに対してグラデーションマスクを用いた処理を施すことにより、つなぎ部の記録に使用するノズルを両チップに分散させて割り当てるものである。これにより、相対的な着弾位置のずれによる影響を低減している。
【０００５】
また、特許文献２には、チップ間において重複する画像データを補正する記録装置が記載されている。具体的には、画像データから、チップ間で重複する部分のデータを抽出し、つなぎ部における何れか一方のチップのみで画像を記録できる場合は、その一方のチップで画像を記録するように、画像データを補正している。
【先行技術文献】
【特許文献】
【０００６】
【特許文献１】特開平５−５７９６５号公報
【特許文献２】特開２００４−２６８３９４号公報
【発明の概要】
【発明が解決しようとする課題】
【０００７】
しかしながら、特許文献１の記録装置は、つなぎ部に記録される画像の種類に関わらず、グラデーションマスクを用いた処理を行っている。すなわち、つなぎ部の記録に使用するノズルを、このつなぎ部を構成する複数のチップに分散させて割り当てるため、それによって記録されるドットが分散することになる。その結果、画像のエッジ部が明瞭な、例えば文字などの画像の記録では、ノズルのつなぎ部と非つなぎ部で記録するエッジ部の品位の差が顕著になるという問題がある。
【０００８】
特許文献２によれば、特許文献１における上述した画像品位質が低下する問題は解決される。しかし、画像データの解析、画像データの補正などの処理をするため、記録データを生成する処理に比較的時間を要することになり、結果として、記録動作のスループットが低下することとなる。
【０００９】
本発明は上記課題に鑑みなされたものである。そして、その目的は、記録データ生成に時間を要することなく、記録する画像の種類に応じて、つなぎ部における記録制御を異ならせることによって画像品質の低下を抑制することが可能なインクジェット記録装置および記録制御方法を提供することにある。
【課題を解決するための手段】
【００１０】
上記課題を解決するために、本発明に係るインクジェット記録装置は、インクを吐出するノズルによって構成されたノズル列を有する複数のチップが、互いに重複する部分を有するように配置されている記録ヘッドを用いて、記録媒体へ画像を記録するインクジェット記録装置であって、前記記録媒体に記録する画像の画像データから前記チップが重複する領域に記録される画像がエッジ部を有する画像か否かを判別する手段と、前記判別される画像がエッジ部を有する画像の場合、前記重複する領域を複数に分けて、当該分けた領域ごとに、前記複数のチップのうちのいずれか１つのチップのノズル列を用いて記録を行うべく制御方法を決定する手段と、前記決定された記録制御方法によって記録を制御する手段と、を備えることを特徴とする。
【発明の効果】
【００１１】
上記構成によれば、チップが重複する領域（つなぎ部）に記録される画像がエッジ部を有する画像である場合、つなぎ部を複数の領域に分割し、当該分割された領域ごとに、１つのチップのノズル列を用いて画像を記録する。こうすることによって、つなぎ部に位置するノズルを用いて記録される画像のエッジ部と、非つなぎ部に位置するノズルを用いて記録される画像のエッジ部との間の画像品質の差を抑制することができる。また、本発明は画像データを補正するものではないので、記録データを生成する処理に比較的時間を要することがない。
【００１２】
したがって、本発明においては、記録データ生成に時間を要することなく、記録する画像の種類に応じて、つなぎ部における記録制御を異ならせることによって画像品質の低下を抑制することができる。
【図面の簡単な説明】
【００１３】
【図１】インクジェット記録装置の内部構成を示す断面図である。
【図２】記録ヘッドを示す模式図である。
【図３】各チップのノズル配列構成とつなぎ部のノズル配列を示す模式図である。
【図４】制御構成の一例を示すブロック図である。
【図５】（ａ）及び（ｂ）はグラデーションマスク処理を説明する模式図である。
【図６】（ａ）及び（ｂ）は境界マスク処理を説明するための模式図である。
【図７】画像処理の流れを示すフローチャートである。
【図８】（ａ）及び（ｂ）は搬送誤差がない場合の記録位置を説明する模式図である。
【図９】（ａ）及び（ｂ）は搬送誤差がある場合の記録位置を説明する模式図である。
【図１０】（ａ）〜（ｄ）はマスク処理の結果を説明するための図である。
【図１１】（ａ）及び（ｂ）は第２実施形態のマスク処理を説明するための図である。
【発明を実施するための形態】
【００１４】
以下に図面を参照して本発明の実施形態を詳細に説明する。  
【００１５】
（第１実施形態）
図１はインクジェット記録装置２０の内部構成を示す断面図である。同図に示すように、インクジェット記録装置２０（以下、「記録装置２０」という）は外部機器３０と接続されている。外部機器３０は記録装置２０へ画像データを供給する。本実施形態において記録装置２０は、ロール状の記録媒体に対して、外部機器３０から受信した画像データに基づき画像を記録する。
【００１６】
記録装置２０は、供給部１、デカール部２、斜行矯正部３、記録部４、検査部５、切断部６、情報記録部７、乾燥部８、巻取り部９、排出搬送部１０、ソータ部１１、排出トレイ１２、および制御部１３を備える。制御部１３はコントローラ部１５および電源部１６を備えている。制御部１３は記録装置２０における各部を制御する。コントローラ部１５は外部機器３０からの画像データを受信する。電源部１６は記録装置２０内の各構成部へ電圧を供給する。
【００１７】
また、記録装置２０には、複数のローラ対１７およびベルトを有する搬送機構が設けられており、記録媒体は搬送機構によって搬送経路１８に沿って搬送される。
【００１８】
供給部１はロールＲ１およびロールＲ２に巻かれているロール状の記録媒体を収容しており、ロールＲ１またはロールＲ２から記録媒体を引き出して、デカール部２に供給する。本実施形態において、供給部１はロールＲ１およびロールＲ２の２つのロールを収容しているが、収容するロールの個数はこれに限定されず、１つであってもよいし、２つ以上であってもよい。
【００１９】
デカール部２は、供給部１から供給された記録媒体のカール（反り）を軽減させる。斜行矯正部３は、デカール部２を通過した記録媒体の斜行（本来の進行方向に対する傾き）を矯正する。斜行矯正部３にて斜行を矯正された記録媒体は記録部４へ搬送される。
【００２０】
記録部４は、記録媒体に画像を形成し記録を行なう。また、記録部４は、記録媒体の切断位置を確認するためのカットマークパターンなどを記録する。記録部４は、インクジェット記録ヘッド１４（以下、「記録ヘッド１４」という）を複数備える。各記録ヘッド１４は、フルラインタイプの記録ヘッドであり、使用が想定される最大のサイズの記録媒体の幅に対応した長さを有している。
【００２１】
検査部５はスキャナを有しており、このスキャナによって記録部４が記録した画像および各種パターンなどを読み取る。
【００２２】
スキャナは不図示の発光部および撮像素子を備えている。発光部は撮像素子の読み取り方向へ向かって光を発する位置か、又は撮像素子との間に記録媒体を挟み撮像素子へ向かって光を発する位置に配置される。前者の場合は発光部から照射した光の反射光を撮像素子が受光し、後者の場合は発光部から照射した光のうち記録媒体を透過した光を撮像素子が受光する。撮像素子は受光した光を電気信号に変換して、電気信号を出力する。
【００２３】
切断部６は、記録部４にて画像が記録された記録媒体を所定の長さに切断する。情報記録部７は、切断部６にて所定の長さに切断された記録媒体に、シリアル番号や日付などの情報を、必要に応じて記録する。乾燥部８は、記録媒体を加熱して、記録媒体に付与されたインク等を乾燥させる。
【００２４】
巻取り部９は、記録媒体に対して両面記録を行なう際に、一方の面に記録が完了した記録媒体を一時的に巻き取る。そして、巻き取られた記録媒体は記録が完成した面とは異なる面にインクが付与されるように、記録部４へ再び搬送される。
【００２５】
排出搬送部１０は、乾燥部８にて乾燥された記録媒体をソータ部１１まで搬送する。ソータ部１１は、排出トレイ１２へ記録媒体を排出する。ソータ部１１は必要に応じて記録媒体を分類し、排出トレイ１２の異なるトレイに振り分けて排出する。排出トレイ１２は複数のトレイを有し、ソータ部１１から振り分けられて排出された記録媒体をトレイに載せ置く。
【００２６】
なお、本実施形態において記録部４は４つの記録ヘッドを用いる。この４つの記録ヘッドには、夫々対応するインクを供給可能なようにインクタンク（不図示）が接続されている。インクタンクから各記録ヘッドへは、インクチューブ（不図示）を介してそれぞれ対応するインクが供給される。本実施形態において、インクタンクには、シアン（Ｃ）、マゼンタ（Ｍ）、イエロー（Ｙ）、およびブラック（Ｋ）のインクがそれぞれ収容されている。
【００２７】
図２は記録ヘッド１４の構成を示す模式図である。同図においては４つの記録ヘッドのうち、１つの記録ヘッドを示しているが、他の３つの記録ヘッドも同様の構成を有している。
【００２８】
なお、本実施形態においては、Ｋ、Ｃ、Ｍ、Ｙの４色のインクを供給する記録ヘッドを備える構成について説明する。しかしながら、本発明において、記録ヘッドから吐出されるインクの色の種類はこれに限定されない。例えば、ライトシアンインク、ライトマゼンタインク、レッドインク、グリーンインク等のインクを供給する記録ヘッドを備えていてもよい。また、本実施形態においては、４つの記録ヘッドを用いる場合について説明するが、記録ヘッドの個数もこれに限定されるものではない。
【００２９】
各記録ヘッドは、記録媒体の搬送方向（図中に示すＸ方向）に対して略垂直にノズルが配列されるように配置されており、４つの記録ヘッド夫々は夫々に対して略平行となるようにＸ方向に沿って配置されている。
【００３０】
記録ヘッドはノズル配列方向（図中に示すＹ方向）の両端部に電極部（不図示）を備えている。この電極部と記録装置２０側のフレキシブル配線基板（不図示）とは電気的に接続されている。また、各記録ヘッドの内部には、メモリ（例えば、後述するＲＯＭ６２）が内蔵されており、このメモリも記録装置２０側のフレキシブル配線基板と電気的に接続されている。
【００３１】
図２に示すように、記録ヘッド１４には８個のチップ２１〜２８がＸ方向にノズルが連続するように、千鳥格子状に配置されている。チップ２１〜２８は記録ヘッド１４における支持部材であるベース基板１１４に接着され、配置されている。チップ２１〜２８にはＹ方向に配列する複数のノズルからなるノズル列Ａ〜Ｈが、搬送方向上流側から下流側に向かって、順次配置されている。
【００３２】
詳細は図３を用いて後述するが、各チップのノズル列Ａ〜Ｈの端部において、所定数のノズルがそれぞれ搬送方向にオーバーラップするように、チップは配置されている。
【００３３】
すなわち、チップ２１の所定数のノズルおよびチップ２２の所定数のノズルが、チップ２２の所定数のノズルおよびチップ２３の所定数のノズルが、チップ２３の所定数のノズルおよびチップ２４の所定数のノズルが、重複するように配置されている。同様に、チップ２４の所定数のノズルおよびチップ２５の所定数のノズルが、チップ２５の所定数のノズルおよびチップ２６の所定数のノズルが、チップ２６の所定数のノズルおよびチップ２７の所定数のノズルが重複するように配置されている。チップ２７の所定数のノズルおよびチップ２８の所定数のノズルが重複するように配置されている。
【００３４】
各ノズルは、吐出口、および吐出口に連通する流路から構成される。また、各ノズルには、それぞれ記録データに従ってインクを吐出するための駆動素子が設けられている。
【００３５】
駆動素子は、例えば、発熱抵抗素子（ヒータ）と発熱抵抗素子を保護する保護膜とから構成される。発熱抵抗素子は通電により発熱し、その発熱により液体（インク）を発泡させて、その発泡エネルギーにより吐出口から液体（インク）を吐出させる。この吐出されたインク滴が記録媒体に付与され、記録媒体にドットを形成し、このドットが画像を形成することにより、記録媒体への記録がなされる。保護膜は、インクに直接接することによる酸化現象などから発熱抵抗素子を保護するために用いられる。
【００３６】
本実施形態においては、発熱抵抗素子と保護膜とから構成される駆動素子を用いる場合について説明する。しかしながら、本実施形態においては、駆動素子として、ピエゾ素子、静電素子、およびＭｉｃｒｏ−Ｅｌｅｃｔｒｏ−Ｍｅｃｈａｎｉｃａｌ Ｓｙｓｔｅｍｓ（ＭＥＭＳ）素子なども用いることができる。また、各駆動素子への電圧の供給は電源部１６から行われる。
【００３７】
また、図２に示すように、チップ２１〜２８におけるＹ方向の有効吐出幅はそれぞれ約１インチである。よって、このチップ２１〜２８をＹ方向に配列した記録ヘッド１４は、有効吐出幅が約８インチの長さを有しており、Ａ４サイズの記録媒体の短辺方向の長さ（幅）とほぼ一致した長さを有する。本実施形態においては、４色のインクをそれぞれ吐出する４つの記録ヘッド１４はそれぞれ同じ液体噴射ヘッドであり、これらはフルカラー記録が可能な液体噴射記録装置を構成している。
【００３８】
図３は、各チップのノズル配列構成と、チップ間の重複部分（つなぎ部）のノズル配列を示す模式図である。同図においては、図２に示すチップ２１のノズルとチップ２２のノズルとによって形成されるつなぎ部３２を図示しているが、他のチップ間においても同様につなぎ部が形成される。各チップ２１、２２には、１２００ｄｐｉの密度で配列された１０２４個のノズルによって構成されたノズル列が８本設けられている。そして、チップ２１およびチップ２２それぞれのノズル列のノズルのうち夫々一方の端部に位置する１２８個のノズルがＸ方向において重複するように配置されている。
【００３９】
本実施形態では、この各チップのノズルが重複する領域をつなぎ部３２という。これに対して、それぞれのチップにおける、上記つなぎ部以外にノズルが位置する部分、すなわち、各チップのノズルが重複する領域以外を非つなぎ部３１という。
【００４０】
Ｘ方向へ一定の速度で記録媒体が搬送されるとともに、ノズル列毎に順次インクが吐出され、画像が記録される。上述のように本実施形態において、１つのチップには、それぞれ記録媒体の搬送方向（図３に示すＸ方向）と交差する方向にノズルが配列されたノズル列が８列、設けられている。各列のノズルから一定の駆動周波数でインクを吐出しつつ、その駆動周波数に対応した速度で記録媒体をＸ方向に搬送することにより、記録媒体に画像を記録する。
【００４１】
詳しくは、非つなぎ部３１の記録では、それぞれのチップの８つのノズル列Ａ〜Ｈのノズルがこの順序で用いられて、記録データに従いＸ方向の隣接する画素の記録を行う。つまり、ある画素をノズル列Ａのノズルで記録すると、ノズル列Ａのそのノズルは次に７つおいた画素の記録に用いられる。他のノズル列のノズルも同様に用いられる。これにより、記録ヘッドの駆動周波数を一定とした場合、記録媒体の搬送速度を８倍にすることができ、高速記録が可能となる。
【００４２】
また、つなぎ部の記録も、基本的に同様であり、非つなぎ部と異なる点は、同じノズル列（Ａ〜Ｈ）のノズル間で、後述されるマスクによって使用されるノズルが振り分けられる点である。
【００４３】
以上のように、２つのチップのノズルがＸ方向において同一ライン上になるようにチップが配置されているため、Ｘ方向において同一の記録ライン上にドットを形成することができる。また、Ｘ方向の同一の記録ラインは、複数のノズルによって交互に記録することも可能である。したがって、例えば不吐出などの吐出不良を有するノズルがあったとしても、当該ノズルによって記録されるドットがＸ方向に連続することはなく、吐出特性が分散された画像を出力することができる。
【００４４】
なお、図２および図３においては、８本のノズル列を有するチップについて説明したが、後述する図８および図９に示すように、本実施形態においては１本のノズル列を有するチップを用いることもできる。このように、本実施形態における１つのチップが有するノズル列の列数に特に限定はない。
【００４５】
本実施形態においては、図３に示すように、２つのチップのノズルがＸ方向において同一線上になるように配置されている。すなわち、図３に示すように、つなぎ部３２において、チップ２２のノズル、およびチップ２１のノズルが、記録媒体の搬送方向（Ｘ方向）に連続するように配置されている。しかしながら、チップの配置はこれに限定されず、一方のチップに対して他方のチップを半ピッチ（１／２ノズル分）ずらして配置してもよい。この配置の場合、つなぎ部３２における解像度は非つなぎ部３１における解像度の２倍である２４００ｄｐｉとなる。
【００４６】
また、本実施形態においては１０２４個のノズルによって１本のノズル列を構成しているが、ノズル列を構成するノズルの個数はこの個数に限定されない。本実施形態においては、各チップの１２８個のノズルによってつなぎ部が形成される場合を例に説明するが、つなぎ部を構成するノズルの個数もこの個数に限定されない。
【００４７】
図４は制御構成の一例を示すブロック図である。図１を用いて説明したように、外部機器３０から入力された画像データはコントローラ部１５にて受信される。
【００４８】
図４に示すように、コントローラ部１５は、ＣＰＵ４０、ＲＯＭ５１、ＲＡＭ５２、およびインターフェース（Ｉ／Ｆ）５３を備える。ＣＰＵ４０は、記録装置２０における処理を統括的に制御する。すなわち、ＣＰＵ４０は、図７を用いて後述する処理などの実行を制御する。ＲＯＭ５１は、各種プログラム、後述するインデックスマスク、および後述するチップ間のつなぎ部におけるノズルの使用／不使用を決定するマスクなどを格納する。ＲＡＭ５２は、ＣＰＵ４０のワークエリア等として使用される。Ｉ／Ｆ５３は、記録装置２０と外部機器３０との間を繋ぐ通信インターフェースである。
【００４９】
図４に示すように、ＣＰＵ４０は、情報取得部４１、画像プレーン分解部４２、画像プレーン処理部４３、マスク処理部４４、および画像データ統合部４５から構成される。
【００５０】
情報取得部４１は、各記録ヘッド１４（Ｋ、Ｃ、Ｍ、Ｙ）に内蔵されたＲＯＭ６２から記録ヘッドの取り付け位置、およびチップの貼り付け位置などに関する情報を取得する。
【００５１】
画像プレーン分解部４２は、外部機器３０から入力された画像データに対して文字プレーンと判断されうる画像データが存在するかを判定して、文字プレーンと文字プレーン以外の画像プレーン（以下「非文字プレーン」という）とに分解する処理を行う。
【００５２】
画像プレーン処理部４３は、図７を用いて後述する画像処理の流れに従って、画像プレーン分解部４２で生成された文字プレーンおよび非文字プレーンそれぞれの画像データに対して夫々異なる画像処理を並行して実施する。
【００５３】
マスク処理部４４は、画像プレーン処理部４３にてノズル列用に画像処理された各プレーンの記録データに基づいて記録をする際に後述する各種マスクの選択およびマスクを切り替えるタイミングを決定する。
【００５４】
画像データ統合部４５は、画像プレーン処理部４３にて画像処理されたプレーン毎の各ノズル列用の画像データの２値化処理された記録データを統合して１つの記録データを生成する。
【００５５】
次に、つなぎ部における画像データのマスク処理について説明する。
【００５６】
本実施形態においては、つなぎ部のノズルに対応する記録データは、つなぎ部を構成する２つの記録チップの両方に適用され、非つなぎ部と同様に列分配（振り分け）処理によって、各ノズル列に分配される。このままの状態ではつなぎ部において、記録するドットがつなぎ部を形成するチップ間で重複してしまう。そこで、つなぎ部における各ノズル列のノズルに対してマスク処理を行う。
【００５７】
図５（ａ）及び（ｂ）は、本実施形態のグラデーションマスク（第１マスク）を用いた処理を説明する模式図である。同図（ａ）は、ノズル列ごとのノズルの配置およびその配置ごとのノズルの使用／不使用を定めるパターン、すなわち、マスクのパターンを示しており、同図（ｂ）は記録の平均濃度とノズルの位置との関係を示している。
【００５８】
図５（ａ）、後述する図６（ａ）、および後述する第２実施形態にて説明する図１１（ａ）には、図３と同様にチップ２１およびチップ２２の２つのチップのみが示されているが、他のチップも同様の処理が施されることはもちろんである。図５（ａ）、図６（ａ）、および図１１（ａ）において、塗りつぶされているドットは記録に使用されるノズルを示しており、塗りつぶされていないドットは記録に使用されないノズルを示している。
【００５９】
なお、本実施形態のマスクは、８つのノズル列のノズルごとにその使用／不使用を定めたものということができるが、８つのノズル列で記録する領域を、マスク処理の単位領域とし、この領域の記録データに対してマスク処理を行うということもできる。従って、図５（ａ）、図６（ａ）、および図１１（ａ）で示すマスクを用いた処理は、各チップが、１つのノズル列から構成される場合も適用できることができる。
【００６０】
なお、図５（ａ）、図６（ａ）、および図１１（ａ）においては、図示の簡略化のために、３０個のノズルによって構成されるノズル列を示し、各列１４個のノズルによってつなぎ部３２が形成される例を示す。
【００６１】
図５（ａ）に示すように、つなぎ部３２にグラデーションマスク処理を施すと、記録媒体の搬送方向（図に示すＸ方向）上流側から下流側へ、つなぎ部３２における、チップ２１の使用ノズルは徐々に少なくなり、チップ２２の使用ノズルの数は徐々に多くなる。このグラデーションマスク処理は、マスク処理部４４において、個々のノズルに対して使用の許可／不許可を切り替えることによって実現される。
【００６２】
図５（ｂ）、後述する図６（ｂ）、図１１（ｂ）に示すグラフの縦軸は記録の平均濃度を示しており、横軸はノズルの位置を示している。また、図５（ｂ）、図６（ｂ）、図１１（ｂ）における実線２２ａはチップ２２による記録の平均濃度を、一点鎖線２１ａはチップ２１による記録の平均濃度を示している。
【００６３】
図５（ｂ）に示すように、記録媒体の搬送方向下流側にあるチップ２２の使用ノズルの数は、つなぎ部３２において徐々に減少するので、つなぎ部３２における記録の平均濃度も徐々に減少する。これに対して、搬送方向上流側にあるチップ２１の使用ノズルの数は、つなぎ部３２において徐々に増加するので、つなぎ部３２における記録の平均濃度も徐々に増加する。
【００６４】
なお、図５（ａ）に示すグラデーションマスクは、ノズル列Ａ〜Ｈの順番に不使用ノズルを２ノズル分ずつ増減させている。しかしながら、つなぎ部３２における記録濃度をばらつきがない状態にすることができるものであれば、グラデーションマスクは図５に示されるものに限られない。例えば、つなぎ部を図５（ａ）に示す場合の半分の領域にする場合は、ノズル列Ａ〜Ｈの順番に不使用ノズルを１ノズル分ずつ増減させるマスクを用いてもよい。
【００６５】
図６（ａ）及び（ｂ）は本実施形態の境界マスク（第２マスク）を用いた処理を説明するための模式図である。同図（ａ）は、ノズル列ごとのノズルの配置およびその配置ごとのノズルの使用／不使用を定めるパターン、すなわち、マスクのパターンを示しており、同図（ｂ）は記録の平均濃度とノズルの位置との関係を示している。
【００６６】
つなぎ部３２に境界マスク処理を施すと、図６（ａ）に示すように、境界領域（所定領域）において、チップ間のノズルの使用／不使用が一斉に切り替わる。より詳細には、同図（ｂ）に示すように、Ｘ方向下流側にあるチップ２２のノズル列Ａ〜Ｈのノズルの使用は、つなぎ部３２のＹ方向の中央部において、許可から不許可に切り替わる。他方、Ｘ方向上流側にあるチップ２１のノズル列Ａ〜Ｈのノズルの使用は、つなぎ部３２の中央部において、不許可から許可に切り替わる。
【００６７】
図６（ｂ）に示すように、つなぎ部３２に境界マスク処理を実施した場合、チップ間のノズルの使用／不使用は一斉に切り替わるので、チップ２１およびチップ２２の記録の平均濃度は、ノズルの使用／不使用が切り替わる境界部分において反転している。
【００６８】
なお、本実施形態においては、つなぎ部３２の中央部において、チップ２１およびチップ２２のノズルの使用／不使用を切り替えているが、境界マスク処理によってノズルの使用／不使用を切り替える位置は任意に設定することができる。
【００６９】
また、ノズルの使用／不使用を切り替える位置が異なる境界マスクを複数、ＲＯＭ５１に格納しておき、適宜複数の境界マスクを切り替えて使用してもよい。
【００７０】
また、つなぎ部３２における記録データを解析して、最も使用頻度の低いノズルを判定し、そのノズルの位置をノズルの使用／不使用の切り替え位置としてもよい。そうすることによって、つなぎ部３２におけるインクの記録位置のずれによる影響を抑制することができる。
【００７１】
次に図７を参照して画像処理の流れについて説明する。図７は画像処理の流れを示すフローチャートであり、入力されたベクター形式の画像データから各色の記録ヘッドの各チップ、各ノズル列用の記録データを生成する流れを示している。
【００７２】
図７に示すように、外部機器３０から入力されたベクター形式の画像データ（ＲＢＧの多値データ）は、画像プレーン分解部４２において文字プレーンがあるか否かを判定され、文字プレーンと非文字プレーンとを分解する画像プレーン処理が施される（Ｓ７０１）。分解された文字プレーンおよび非文字プレーンそれぞれの画像データは、文字プレーンの画像データに対してはＳ７０２ａ〜Ｓ７０６ａまでの処理が、非文字プレーンの画像データに対してＳ７０２ｂ〜Ｓ７０６ｂまで処理が、それぞれ施される。
【００７３】
なお、ベクター形式の画像データには、記録オブジェクトの形態、色、大きさなどの記録に必要な情報が付加されている。本実施形態においては、画像データに付加されている情報からＲＧＢの値が３０以下の文字または罫線がある場合、文字プレーンであると判定される。
【００７４】
文字プレーンと非文字プレーンの画像とは並行して別々に画像処理が行われるが、その処理内容は同じであるので、併せて説明する。
【００７５】
文字プレーンおよび非文字プレーンそれぞれについて、画像プレーン処理部４３において、レンダリング処理が施され、各プレーンの画像データはビットマップ形式の画像データに変換される（Ｓ７０２ａ、Ｓ７０２ｂ）。ビットマップ形式に変換された画像データは、色空間変換処理によって、各インク色の多値のデータに分解される（Ｓ７０３ａ、Ｓ７０３ｂ）。本実施形態においては、４色のインクを吐出する記録ヘッド１４（Ｋ、Ｃ、Ｍ、Ｙ）を用いるので、４色分のデータに変換する。
【００７６】
そして、多値の画像データに対して階調補正が行われる（Ｓ７０４ａ、Ｓ７０４ｂ）。次に、２値化処理によって、ブラック、シアン、マゼンタ、イエローの各色のインクドット数データを各１ビットのインクドットあり又はなしのデータに変換する（Ｓ７０５ａ、Ｓ７０５ｂ）。すなわち、ドットの記録（１）或いは非記録（０）を定めるドットデータ（２値データ）が生成される。２値化処理は、従来から知られているディザマトリクス法、誤差拡散法などの指示中間調処理を用いるが、出力画像の用途によっては単純量子化を用いることもできる。
【００７７】
本実施形態においては、誤差拡散法によって１６値のデータに低階調化する。そして、１６階調のデータそれぞれに対してドット配置パターン（インデックスパターン）を用いて２値化処理を行い、１２００ｄｐｉ×１２００ｄｐｉの２値データへ変換する（Ｓ７０５ａ、Ｓ７０５ｂ）。
【００７８】
すなわち、ＲＯＭ５１には、画素のそれぞれに記録（１）或いは非記録（０）が定められたインデックスパターンが、１６値データのそれぞれに対し用意されている。そして、これらインデックスパターンを参照しながらデータ変換を行うことにより、３００ｄｐｉ×３００ｄｐｉの１６値の多値データを１２００ｄｐｉの２値データに変換する。
【００７９】
そして、変換した２値データを各チップのノズル列に分配する列分配処理を行う（Ｓ７０６ａ、Ｓ７０６ｂ）。このステップにおいては、２値化処理によって、ドットの記録（１）と定められたデータのそれぞれを、ノズル列Ａ〜Ｈに振り分けて、ドットの記録（１）と定められた全てのデータについて、これらをノズル列Ａ〜Ｈのいずれかで記録するかを決定する。
【００８０】
いずれのノズル列で記録するかは、所定の分配比率に従って振り分けられることによって決定される。分配比率は、ノズル列Ａ〜Ｈで均等にしてもよいし、多少の偏りを持たせてもよい。また、記録する画像の階調に応じて分配比率を変更してもよい。いずれにしても、列分配処理Ｓ７０６ａ、Ｓ７０６ｂでは、記録（１）と定められた全てのデータについて、これらをいずれのノズル列で記録するかを決定する
以上の処理によって、２値データに変換されたノズル列毎の文字プレーンおよび非文字プレーンの２つの記録データは、１つに統合される（Ｓ７０７）。これによって、各ノズル列に対して記録データが生成される。
【００８１】
他方、２つの記録データの情報から、マスク処理部４４において、統合された記録データを記録する際のつなぎ部におけるマスクの選択とマスクの切り替えのタイミングが設定される（Ｓ７０８）。
【００８２】
本実施形態においては、文字プレーンの画像処理によって生成された記録データに基づいてつなぎ部３２に文字または罫線が記録されるか否かを判定して、つなぎ部３２に文字などが記録される場合は上述の境界マスクを選択する。つなぎ部３２に文字または罫線を記録しない場合は、グラデーションマスクを選択する。
【００８３】
すなわち、本実施形態においては、文字プレーンの画像処理によって生成された記録データに基づいて、つなぎ部３２に記録される画像がエッジ部を有する画像（文字または罫線）であるか否かを判別する。この判別結果に応じて、つなぎ部に使用するマスクを適宜選択することにより、記録制御方法を異ならせる。
【００８４】
なお、本実施形態においては、ＲＧＢの値が３０以下である場合に文字プレーンと判定する例を説明したが、判定条件はこれに限定されない。例えば、ＲＧＢ＝０を文字プレーンと判定する条件としてもよい。この判定条件とＳ７０３ａおよびＳ７０３ｂにおける色空間変換処理の条件を調整することによって、例えば、ブラックインクを吐出する記録ヘッド１４（Ｋ）のみによって記録される文字や罫線のデータのみにマスク切り替え処理を行うことができる。つまり、特定の記録ヘッドの特定の階調にて形成される文字や罫線パターンのみに境界マスクを実施することができる。
【００８５】
本実施形態においては、マスク選択処理（Ｓ７０８）において、文字プレーンの記録データからマスクを切り替える処理を実行する例を説明した。しかし、マスクの切り替えは、チップ毎につなぎ部に対して個別に行われてもよいし、一律に全てのつなぎ部に対してマスクの切り替えを行ってもよい。また、マスクの切り替えを行わずに、文字プレーンが存在することが判明した時点において、その色のチップのマスクは一律に境界マスクを使用するような処理をしてもよい。なお、マスク選択処理は画像処理の負担を考慮して実施されることが望ましい。
【００８６】
つなぎ部におけるインクの記録位置ずれは、チップの配置誤差など以外にも記録媒体の搬送精度の誤差（搬送時における記録媒体の斜行や搬送速度の違いなど）によっても生じる。そこで、以下に記録媒体の搬送精度を例としてインクの記録位置ずれを説明する。
【００８７】
図８は（ａ）及び（ｂ）は搬送誤差がない場合の記録位置を説明するための模式図である。同図（ａ）はノズル列の構成を示しており、同図（ｂ）は記録媒体に記録されるドットを示している。また、図８（ａ）及び（ｂ）、後述する図９（ａ）及び（ｂ）においては、１つのノズル列を有するチップが２つ設けられている構成について説明する。
【００８８】
図８（ａ）および図９（ａ）に示す距離ａはチップ７１のノズル列とチップ７２のノズル列との間の距離を示し、距離ｂはノズル列において隣接するノズル間の距離を示す。また、図８（ｂ）および図９（ｂ）に示す距離ｃは、搬送誤差がない場合に、記録媒体に記録された２つのドットの中心間の距離を示す。
【００８９】
また、図８（ｂ）および後述する図９（ｂ）は、図８（ａ）および図９（ａ）に示すノズル７４によってインクを吐出してドット７８を形成し、距離ａ分、Ｘ方向に記録媒体が搬送され、ノズル７３によってインクを吐出してドット７７を形成した状態を示している。
【００９０】
図８（ａ）に示すように、記録ヘッド７０にはチップ７１およびチップ７２が設けられている。チップ７１にはノズル７３を含む複数のノズルによって配列されたノズル列が、チップ７２にはノズル７４を含む複数のノズルによって配列されたノズル列が、夫々設けられている。
【００９１】
チップ７２は記録媒体の搬送方向（図中に示すＸ方向）下流側に位置し、チップ７１はＸ方向の上流側に位置している。チップ７１とチップ７２とは、Ｘ方向と交差する方向（図中に示すＹ方向）にずれて配置されている。チップ７１のノズルのうちノズル７３を含む５つのノズルと、チップ７２のノズルのうちノズル７４を含む５つのノズルとは、Ｘ方向において重複するつなぎ部７５を形成している。また、ノズル７３は、ノズル７４に対してＹ方向に１ノズル分ずれた位置にあるノズルである。
【００９２】
図８（ｂ）に示す、ドット７７はノズル７３によって記録するドットを、ドット７８はノズル７４によって記録するドットを、それぞれ示している。図８（ｂ）は記録媒体７９の搬送が高精度に行われた場合を示しているので、ノズル７３とノズル７４とのノズル間距離ｂ、およびドット７７の中心とドット７８の中心との間の距離ｃは、等しい。
【００９３】
これに対して、搬送誤差が生じた場合の記録位置を、図９（ｂ）を参照して説明する。
【００９４】
図９（ａ）及び（ｂ）は搬送誤差がある場合の記録位置を説明するための模式図である。同図（ａ）はノズル列の構成を示しており、同図（ｂ）は記録媒体に記録されるドットを示している。同図（ａ）は図８（ａ）と同様の構成であるので、その説明を省略する。
【００９５】
図９（ｂ）に示すように、ノズル７４からインクを吐出してドット７８を形成して、記録媒体７９の搬送中に、所望の搬送位置から角度θ分だけ記録媒体７９が斜行した場合、ノズル７３からインクを吐出して形成するドット７７の記録位置は変化する。
【００９６】
図９（ｂ）に示すドットの記録位置を図８（ｂ）に示すドットの記録位置と比較すると、図９（ｂ）においては、Ｙ方向においてドット７８から離れる方向へ、ノズル７３の記録位置がずれている。
【００９７】
記録媒体の搬送位置が所望の位置である場合、ノズル７３から吐出されるドットは、Ｘ方向の同一線上にあるノズル７６に対応する位置から吐出される。図９（ｂ）において、点線７７ａは搬送誤差がない場合の搬送方向を示し、点線７７ｂは搬送誤差が生じた場合の搬送方向を示す。距離ｃ´は角度θ分の搬送誤差が生じた場合のドット７７の中心とドット７８の中心との間の距離を示している。なお、距離ｃ´はドット７７および７８を形成したノズル間距離と等しい。この場合、距離ｃ´＝ａ・tanθ＋ｂとなる。
【００９８】
ノズル列間距離ａは、つなぎ部７５を形成する２つのチップのノズル列間の距離であり、チップの記録ヘッド７０のベース基板１７０への貼り付け精度などによって変化するパラメータである。チップ間のノズル列間距離があると、その分だけインクの記録位置がずれる虞がある。また、上述のように、つなぎ部においては、チップの貼り付け位置がずれた場合の他、搬送誤差などが生じた場合にもインクの記録位置がずれることがある。
【００９９】
各マスク処理を行った場合に記録される画像のイメージ図を参照して、各マスク処理の結果について説明する。図１０（ａ）〜（ｄ）は、マスク処理の結果を説明するための図である。同図（ａ）は同図（ｂ）〜（ｄ）のイメージ図の比較対象として、記録装置２０に入力される画像データのビットマップ画像を示している。図１０（ｂ）は非つなぎ部において記録される画像、同図（ｃ）はつなぎ部におけるグラデーションマスク処理後の画像、同図（ｄ）はつなぎ部における境界マスク処理後の画像、夫々のイメージ図を示している。
【０１００】
ここで、本実施形態において、イメージ図とはドットの配置を原理的に変化させたものをいう。また、図１０（ｂ）〜（ｄ）に示すイメージ図は、記録ヘッドの構成、記録媒体の搬送精度などは同一である。図１０（ｃ）および（ｄ）は使用するマスクだけが異なる。
【０１０１】
また、図１０（ｂ）〜（ｄ）に示すＸ軸は記録媒体の搬送方向を、Ｙ軸はノズルの配列方向を示している。図１０（ｂ）〜（ｄ）に示すイメージ図においては、同じ分だけ、記録媒体の搬送精度に誤差が生じて、搬送方向（Ｘ方向）にインクの記録位置がずれた場合を示している。
【０１０２】
図１０（ｂ）に示すように、非つなぎ部において記録される画像は、同図（ａ）に示すビットマップ画像と比較すると、搬送誤差が生じた分だけ、Ｘ方向にインクの記録位置が僅かにずれている。
【０１０３】
図１０（ｃ）に示すように、つなぎ部においてグラデーションマスク処理を実施した場合に記録される画像は、同図（ａ）に示す画像と比較すると、Ｘ方向にインクの記録位置がずれている。また、図１０（ｃ）に示す画像と同図（ｂ）に示す画像とを比較すると、同図（ｃ）に示す画像の方が同図（ｂ）に示す画像よりも、Ｘ方向におけるインクの記録位置のずれ量が大きい。
【０１０４】
そのため、図１０（ｃ）に示すイメージ図は、文字のエッジ部全体がぼやけて認識される。このように、グラデーションマスク処理を実施した場合はつなぎ部全体としてインクの記録位置ずれが認識される。
【０１０５】
このように、同じように記録媒体の搬送精度に誤差が生じても、非つなぎ部に記録される画像と、つなぎ部におけるグラデーション処理が施された画像とは、画像品質が異なる。
【０１０６】
図１０（ｄ）に示す点線１０００は使用チップの切り替え位置を示している。同図（ｄ）に示すように、境界マスク処理を実施した場合に搬送精度の誤差が生じると、点線１０００の位置においてインクの記録位置がずれて、画像が歪んで認識されることがある。
【０１０７】
図１０（ｄ）に示すように、つなぎ部において境界マスク処理を実施した場合に記録される画像は、同図（ａ）に示す画像と比較すると、同図（ｂ）と同じようにＸ方向にインクの記録位置がずれている。さらに、図１０（ｄ）に示す画像と同図（ａ）に示す画像とを比較すると、同図（ｄ）の点線１０００を境に、Ｘ方向において、インクの記録位置がずれている。
【０１０８】
境界マスク処理を実施すると使用チップの切り替え位置までは、１つのチップのノズルにて記録されるため、図１０（ｄ）に示すように、点線１０００で区切られる２つの領域、夫々に記録される画像の一部は、同図（ｂ）に示す画像の対応する部分と差がない。
【０１０９】
図１０（ｄ）に示すイメージ図を同図（ｃ）に示すイメージ図と比較すると、同図（ｄ）に示す境界マスク処理を実施した画像の方が文字のエッジ部がはっきりしていることがわかる。
【０１１０】
従来のつなぎ部における画像品質の低下を抑制する処理は、つなぎ部に如何なる画像が記録される場合も一律にグラデーション処理を施して、つなぎ部を形成するチップ間でインクの記録位置がずれることによる画像品質の低下を抑制している。この方法によると、チップの貼り付け精度や記録媒体の搬送誤差に起因する、記録位置ずれによる画像品質への影響の差を、つなぎ部において平均化することができる。
【０１１１】
しかしながら、つなぎ部にこのグラデーションマスク処理を実行すると、図１０（ｂ）および図１０（ｃ）を参照して説明したように、つなぎ部で記録する画像のエッジ部と非つなぎ部で記録する画像のエッジ部との間に画像品質の差が生じる。
【０１１２】
この画像品質の差は、その読みやすさや認識のしやすさ等のためにエッジ部が明瞭であることが望ましい文字や罫線などを記録する際に特に問題となる。他方、文字や罫線以外の例えば写真などを記録する際には、つなぎ部にグラデーションマスクを用いた処理をしても画像品質の差がさほど問題とはならない。
【０１１３】
そこで、本実施形態においては、つなぎ部に記録される画像の種類に応じて使用するマスクを選択する。すなわち、文字や罫線などの画像を記録する場合は境界マスクを使用し、写真などの画像を記録する場合はグラデーションマスクを使用する。
【０１１４】
文字などを記録する際に境界マスクを使用すると、チップ間の境界部分までは一方のチップにて記録するので、つなぎ部と非つなぎ部とで画像品質の差が目立たなくなる。したがって、使用チップの切り替え位置における記録位置のずれを抑制することができれば、つなぎ部に境界マスク処理を実施することによって、つなぎ部における画像品質を非つなぎ部における画像品質と同等にすることができる。
【０１１５】
上述のように、使用チップの切り替え位置におけるインクの記録位置ずれの影響を抑制するために、境界マスク処理において使用チップの切り替え位置をノズルの使用頻度が比較的低い領域とすることも有効である。
【０１１６】
また、周期的に使用チップの切り替え位置を変更することによって、使用チップの切り替え位置を固定した際に継続的に使用チップの切り替え時に起こる虞のある記録位置ずれの影響を抑制することができる。このように、本実施形態においては、使用チップの切り替え位置を適宜設定することができる。
【０１１７】
また、本実施形態は、記録装置２０に入力された画像データに応じてＲＯＭ５１に格納されているマスクを選択するので、画像データ自体に対して補正などを行うものではない。したがって、本実施形態においては、画像データに対して補正を行う従来の方法に比べて、記録データの生成に時間を要しない。
【０１１８】
以上のように、本実施形態においては、記録データ生成までに時間を要することなく、つなぎ部に記録される画像の種類に応じて、つなぎ部に異なるマスクを使用することによって、つなぎ部と非つなぎ部との間の画像品質の差を抑制することができる。
【０１１９】
（第２実施形態）
本実施形態においては、第１実施形態において文字や罫線を記録する際に使用した境界マスクに替えてノズル列限定マスクを使用する。その他の構成は第１実施形態と同様であるので、その説明を省略する。
【０１２０】
図１１（ａ）及び（ｂ）は本実施形態のノズル列限定マスクを用いた処理を説明するための図である。同図（ａ）は、ノズル列ごとのノズルの配置およびその配置ごとのノズルの使用／不使用を定めるパターン、すなわち、マスクのパターンを示しており、同図（ｂ）は記録の平均濃度とノズルの位置との関係を示している。
【０１２１】
本実施形態におけるノズル列限定マスクは、つなぎ部３２において、チップ２１およびチップ２２の使用するノズル列を夫々限定するマスクである。本実施形態のノズル列限定マスクを使用すると、つなぎ部において使用するノズル列の数は、非つなぎ部において使用するノズル列の数と同数となる。すなわち、図１１（ａ）に示すように、非つなぎ部においては、各チップに設けられている８本のノズル列Ａ〜Ｄを使用するが、つなぎ部３２においても、チップ２１のノズル列Ｅ〜Ｈ、およびチップ２２のノズル列Ａ〜Ｄ、計８本のノズル列が使用される。
【０１２２】
図１１（ａ）に示すように、チップ２１およびチップ２２のノズル列の使用数は、非つなぎ部において夫々全てのノズル列が使用され、つなぎ部３２において夫々半数のノズル列が使用される。したがって、図１１（ｂ）に示すように、チップ２１およびチップ２２夫々の記録の平均濃度は、非つなぎ部における記録の平均濃度の半分となっている。
【０１２３】
本実施形態においては、図１１（ａ）に示すように、使用するノズル列を、チップ２１およびチップ２２の互いに隣接するノズル列に限定する。これは、図８（ａ）に示した異なるチップ間のノズル列間距離ａが狭いほど、記録媒体の搬送精度の誤差やチップの取り付け誤差などに起因するインクの記録位置のずれは抑制され、つなぎ部３２における画像品質を維持することができるからである。
【０１２４】
なお、本実施形態においては、８本のノズル列を有する２つのチップによって形成されるつなぎ部において、それぞれのチップの４本のノズル列を使用する構成について説明した。しかしながら、チップに配置されるノズル列の本数およびつなぎ部において使用するノズル列の本数は上記本数に限定されるものではない。すなわち、つなぎ部において使用するノズル列をさらに少ない本数に限定してもよい。
【０１２５】
以上のように、本実施形態においては、つなぎ部において使用するノズル列を互いに隣接するノズル列に限定することによって、ノズル列間距離ａを狭くして、つなぎ部におけるインクの記録位置ずれに起因する画像品質への影響を抑制することができる。
【符号の説明】
【０１２６】
１４        記録ヘッド
１５        コントローラ部
２０        記録装置
２１〜２８  チップ
４０        ＣＰＵ
４２        画像プレーン分解部
４４        マスク処理部
【図１】
2014097603.tif 000003
【図２】
2014097603.tif 000004
【図３】
2014097603.tif 000005
【図４】
2014097603.tif 000006
【図５】
2014097603.tif 000007
【図６】
2014097603.tif 000008
【図７】
2014097603.tif 000009
【図８】
2014097603.tif 000010
【図９】
2014097603.tif 000011
【図１１】
2014097603.tif 000012
【図１０】
2014097603.tif 000013